【手続補正書】
【提出日】平成27年5月15日(2015.5.15)
【手続補正１】
【補正対象書類名】特許請求の範囲
【補正対象項目名】全文
【補正方法】変更
【補正の内容】
【特許請求の範囲】
【請求項１】
冷凍サイクルの冷媒と熱媒体とを熱交換させる熱交換部（１２）を備え、
前記熱交換部（１２）は、複数の板状部材（１１）が互いに積層されて接合されることによって形成されており、
前記複数の板状部材（１１）同士の間には、前記冷媒が流れる複数の冷媒流路（１２１）、および前記熱媒体が流れる複数の熱媒体流路（１２２）が形成され、
前記複数の冷媒流路（１２１）および前記複数の熱媒体流路（１２２）は、前記複数の板状部材（１１）の積層方向に並んで配置されており、
前記複数の冷媒流路（１２１）および前記複数の熱媒体流路（１２２）には、それぞれ、隣り合う前記板状部材（１１）同士を接合し、かつ前記冷媒と前記熱媒体との間での熱交換を促進させるインナーフィン（３０１、３０２）が設けられており、
前記冷媒流路（１２１）に設けられた前記インナーフィンは、部分的に切り起こされた切り起こし部（３０ａ）が前記冷媒の流れ方向に多数形成されるとともに、前記冷媒の流れ方向に隣り合う前記切り起こし部（３０ａ）同士が互いにオフセットされている冷媒側オフセットフィン（３０１）であり、
前記熱媒体流路（１２２）に設けられた前記インナーフィンは、部分的に切り起こされた切り起こし部（３０ａ）が前記熱媒体の流れ方向に多数形成されるとともに、前記熱媒体の流れ方向に隣り合う前記切り起こし部（３０ａ）同士が互いにオフセットされている熱媒体側オフセットフィン（３０２）であり、
前記冷媒流路（１２１）における前記板状部材（１１）の積層方向の長さである冷媒流路高さは、前記冷媒側オフセットフィン（３０１）における前記板状部材（１１）の積層方向の長さである冷媒側フィン高さＦｒｈと等しくなっており、
前記熱媒体流路（１２２）における前記板状部材（１１）の積層方向の長さである熱媒体流路高さは、前記熱媒体側オフセットフィン（３０２）における前記板状部材（１１）の積層方向の長さである熱媒体側フィン高さＦｗｈと等しくなっており、
前記冷媒側フィン高さＦｒｈおよび前記熱媒体側フィン高さＦｗｈが、０．１４＜Ｆｒｈ／（Ｆｒｈ＋Ｆｗｈ）＜０．４９の関係を満たすように設定されていることを特徴とする積層型熱交換器。
【請求項２】
前記冷媒流路（１２１）における前記冷媒の流れ方向の長さＬと、前記冷媒流路（１２１）における前記冷媒の流れ方向および前記板状部材（１１）の積層方向の双方に直交する方向の長さＷとの比であるアスペクト比（Ｌ／Ｗ）が、１．３以上に設定されており、
前記冷媒側オフセットフィン（３０１）の前記切り起こし部（３０ａ）における前記冷媒の流れ方向の長さＳが、Ｌ／８０以下に設定されていることを特徴とする請求項１に記載の積層型熱交換器。
【請求項３】
前記熱交換部（１２）は、前記板状部材（１１）の積層方向が重力方向と交差するように配置されており、
前記熱交換部（１２）は、前記冷媒流路（１２１）を流通する前記冷媒の流れをＵターンさせるＵターン部（１１ｇ）を有していることを特徴とする請求項１または２に記載の積層型熱交換器。
【請求項４】
冷凍サイクルの冷媒と熱媒体とを熱交換させる熱交換部（１２）を備え、
前記熱交換部（１２）は、複数の板状部材（１１）が互いに積層されて接合されることによって形成されており、
前記複数の板状部材（１１）同士の間には、前記冷媒が流れる複数の冷媒流路（１２１）、および前記熱媒体が流れる複数の熱媒体流路（１２２）が形成され、
前記複数の冷媒流路（１２１）および前記複数の熱媒体流路（１２２）は、前記複数の板状部材（１１）の積層方向に並んで配置されており、
前記複数の冷媒流路（１２１）および前記複数の熱媒体流路（１２２）には、それぞれ、隣り合う前記板状部材（１１）同士を接合し、かつ前記冷媒と前記熱媒体との間での熱交換を促進させるインナーフィン（３０１、３０２）が設けられており、
前記冷媒流路（１２１）に設けられた前記インナーフィンは、部分的に切り起こされた切り起こし部（３０ａ）が前記冷媒の流れ方向に多数形成されるとともに、前記冷媒の流れ方向に隣り合う前記切り起こし部（３０ａ）同士が互いにオフセットされている冷媒側オフセットフィン（３０１）であり、
前記熱媒体流路（１２２）に設けられた前記インナーフィンは、部分的に切り起こされた切り起こし部（３０ａ）が前記熱媒体の流れ方向に多数形成されるとともに、前記熱媒体の流れ方向に隣り合う前記切り起こし部（３０ａ）同士が互いにオフセットされている熱媒体側オフセットフィン（３０２）であり、
前記熱交換部（１２）は、前記板状部材（１１）の積層方向が重力方向と交差するように配置されており、
前記熱交換部（１２）は、前記冷媒流路（１２１）を流通する前記冷媒の流れをＵターンさせるＵターン部（１１ｇ）を有しており、
前記冷媒流路（１２１）における前記板状部材（１１）の積層方向の長さである冷媒流路高さは、前記冷媒側オフセットフィン（３０１）における前記板状部材（１１）の積層方向の長さである冷媒側フィン高さＦｒｈと等しくなっており、
前記熱媒体流路（１２２）における前記板状部材（１１）の積層方向の長さである熱媒体流路高さは、前記熱媒体側オフセットフィン（３０２）における前記板状部材（１１）の積層方向の長さである熱媒体側フィン高さＦｗｈと等しくなっており、
前記冷媒側フィン高さＦｒｈおよび前記熱媒体側フィン高さＦｗｈが、０．１４＜Ｆｒｈ／（Ｆｒｈ＋Ｆｗｈ）＜０．４９の関係を満たすように設定されていることを特徴とする積層型熱交換器。
【手続補正２】
【補正対象書類名】明細書
【補正対象項目名】０００７
【補正方法】変更
【補正の内容】
【０００７】
上記目的を達成するため、請求項１に記載の発明では、冷凍サイクルの冷媒と熱媒体とを熱交換させる熱交換部（１２）を備え、熱交換部（１２）は、複数の板状部材（１１）が互いに積層されて接合されることによって形成されており、複数の板状部材（１１）同士の間には、冷媒が流れる複数の冷媒流路（１２１）、および熱媒体が流れる複数の熱媒体流路（１２２）が形成され、複数の冷媒流路（１２１）および複数の熱媒体流路（１２２）は、複数の板状部材（１１）の積層方向に並んで配置されており、複数の冷媒流路（１２１）および複数の熱媒体流路（１２２）には、それぞれ、隣り合う板状部材（１１）同士を接合し、かつ冷媒と熱媒体との間での熱交換を促進させるインナーフィン（３０１、３０２）が設けられており、冷媒流路（１２１）に設けられたインナーフィンは、部分的に切り起こされた切り起こし部（３０ａ）が冷媒の流れ方向に多数形成されるとともに、冷媒の流れ方向に隣り合う切り起こし部（３０ａ）同士が互いにオフセットされている冷媒側オフセットフィン（３０１）であり、熱媒体流路（１２２）に設けられたインナーフィンは、部分的に切り起こされた切り起こし部（３０ａ）が熱媒体の流れ方向に多数形成されるとともに、熱媒体の流れ方向に隣り合う切り起こし部（３０ａ）同士が互いにオフセットされている熱媒体側オフセットフィン（３０２）であり、冷媒流路（１２１）における板状部材（１１）の積層方向の長さである冷媒流路高さは、冷媒側オフセットフィン（３０１）における板状部材（１１）の積層方向の長さである冷媒側フィン高さＦｒｈと等しくなっており、熱媒体流路（１２２）における板状部材（１１）の積層方向の長さ
である熱媒体流路高さは、熱媒体側オフセットフィン（３０２）における板状部材（１１）の積層方向の長さである熱媒体側フィン高さＦｗｈと等しくなっており、冷媒側フィン高さＦｒｈおよび熱媒体側フィン高さＦｗｈが、０．１４＜Ｆｒｈ／（Ｆｒｈ＋Ｆｗｈ）＜０．４９の関係を満たすように設定されていることを特徴とする。
【手続補正３】
【補正対象書類名】明細書
【補正対象項目名】０００８
【補正方法】変更
【補正の内容】
【０００８】
本実施形態によれば、冷媒側フィン高さＦｒｈおよび熱媒体側フィン高さＦｗｈが、０．１４＜Ｆｒｈ／（Ｆｒｈ＋Ｆｗｈ）＜０．４９の関係を満たすように設定することで、後述の図５に示すように、冷媒および熱媒体の圧力損失を低減しつつ、冷媒と熱媒体との間の伝熱性能を向上させることができる。このため、熱交換性能を向上させることが可能となる。
【手続補正４】
【補正対象書類名】明細書
【補正対象項目名】０００９
【補正方法】変更
【補正の内容】
【０００９】
また、請求項４に記載の発明では、冷凍サイクルの冷媒と熱媒体とを熱交換させる熱交換部（１２）を備え、熱交換部（１２）は、複数の板状部材（１１）が互いに積層されて接合されることによって形成されており、複数の板状部材（１１）同士の間には、冷媒が流れる複数の冷媒流路（１２１）、および熱媒体が流れる複数の熱媒体流路（１２２）が形成され、複数の冷媒流路（１２１）および複数の熱媒体流路（１２２）は、複数の板状部材（１１）の積層方向に並んで配置されており、複数の冷媒流路（１２１）および複数の熱媒体流路（１２２）には、それぞれ、隣り合う板状部材（１１）同士を接合し、かつ冷媒と熱媒体との間での熱交換を促進させるインナーフィン（３０１、３０２）が設けられており、冷媒流路（１２１）に設けられたインナーフィンは、部分的に切り起こされた切り起こし部（３０ａ）が冷媒の流れ方向に多数形成されるとともに、冷媒の流れ方向に隣り合う切り起こし部（３０ａ）同士が互いにオフセットされている冷媒側オフセットフィン（３０１）であり、熱媒体流路（１２２）に設けられたインナーフィンは、部分的に切り起こされた切り起こし部（３０ａ）が熱媒体の流れ方向に多数形成されるとともに、熱媒体の流れ方向に隣り合う切り起こし部（３０ａ）同士が互いにオフセットされている熱媒体側オフセットフィン（３０２）であり、熱交換部（１２）は、板状部材（１１）の積層方向が重力方向と交差するように配置されており、熱交換部（１２）は、冷媒流路（１２１）を流通する冷媒の流れをＵターンさせるＵターン部（１１ｇ）を有しており、冷媒流路（１２１）における板状部材（１１）の積層方向の長さである冷媒流路高さは、冷媒側オフセットフィン（３０１）における板状部材（１１）の積層方向の長さである冷媒側フィン高さＦｒｈと等しくなっており、熱媒体流路（１２２）における板状部材（１１）の積層方向の長さである熱媒体流路高さは、熱媒体側オフセットフィン（３０２）における板状部材（１１）の積層方向の長さである熱媒体側フィン高さＦｗｈと等しくなっており、冷媒側フィン高さＦｒｈおよび熱媒体側フィン高さＦｗｈが、０．１４＜Ｆｒｈ／（Ｆｒｈ＋Ｆｗｈ）＜０．４９の関係を満たすように設定されていることを特徴とする。